(57)【要約】【課題】インターフェースの多極化に対応しつつ、インターフェース部分の省スペース化を図ることができ、実装基板に対し鉛直方向に複数の導通体接続部を配置する多段配置にも対応可能な多極型コネクタの提供。【解決手段】ハウジング４を複数に分割した形状の各分割ハウジング５，６にそれぞれ導通体２，３を保持させてなる複数の分割コネクタ７，８を備え、  互いに隣り合う分割ハウジング５，６の一方５の接合端面部に連結キー１５が嵌め込まれるキー嵌合部１６が形成され、キー嵌合部１６に連結キー１５を嵌め込み、連結キー１５を接合端面部間に跨って介在させることによって、両分割ハウジング５，６が接合され、互いに隣り合う各分割コネクタ７，８が連結されるようした。【選択図】図５
2014241251.tif 000002
【特許請求の範囲】
【請求項１】
それぞれが相手側の導通体と接続される複数の導通体と、導通体接続部を前面側に配置して前記各導通体を保持させた絶縁樹脂製のハウジングとを備えた多極型コネクタであって、
前記ハウジングを複数に分割した形状の各分割ハウジングに一又は複数の前記導通体を保持させてなる複数の分割コネクタを備え、
互いに隣り合う分割ハウジングの一方又は双方の接合端面部に連結キーが嵌め込まれるキー嵌合部が形成され、該キー嵌合部に前記連結キーを嵌め込み、該連結キーを前記接合端面部間に跨って介在させることによって、前記両分割ハウジングが接合され、互いに隣り合う前記各分割コネクタが連結されるようしたことを特徴としてなる多極型コネクタ。
【請求項２】
前記連結キーは、互いに接合される一方の分割コネクタの接合端面に突設され、他方の分割コネクタの接合端面部に形成されたキー嵌合部に嵌め込まれるようにした請求項１に記載の多極型コネクタ。
【請求項３】
前記連結キーは、前記接合端面より突出した前後方向に延びる凸条状のキー本体と、該キー本体の端部に配置された外向きに張り出したキー係合部とを備え、
前記キー嵌合部は、接合面側開口縁部に内向きに張り出した係合凸部を有する凹溝状に形成され、前記キー係合部と係合凸部とが互いに係合することにより前記両分割ハウジング間が接合されるようにした請求項１又は２に記載の多極型コネクタ。
【請求項４】
前記各導通体は、前後方向に向けた導電性金属製の細長ピン状の中心導体と、該中心導体の外周を覆う絶縁樹脂製のインシュレータと、該インシュレータの外周を覆う導電性金属製の外側導体とを備えた請求項１、２又は３に記載の多極型コネクタ。
【請求項５】
上下方向に前記各分割コネクタが連結される多段構造を備えるとともに、
前記各導通体は、前後方向に向けた棒状の導通体本体部と、該導通体本体部の後端部より下向きに延出し、各分割ハウジングの下端より突出する基板接続端子部とを備え、
前記分割コネクタ毎に前記導通体本体部の長さを違えるとともに、前記上段の分割コネクタの基板接続端子部を下段側の分割ハウジングに形成された端子挿通部を通してその先端部を最下段の分割ハウジング下面より突出させ、前記最下段の分割ハウジング下面より前記各基板接続端子部が前後方向に間隔を置いて突出するようにした請求項１〜３又は４に記載の多極型コネクタ。
【請求項６】
最上段の分割コネクタの導通体に前後方向に向けた導電性金属製の細長ピン状の中心導体と、該中心導体の外周を覆う絶縁樹脂製のインシュレータと、該インシュレータの外周を覆う導電性金属製の外側導体とを備え、
且つ、前記ハウジングの外側を覆うシールドカバーを備え、
該シールドカバーに内向き立ち上げた形状のシールド接続片を備え、該シールド接続片を最上段の分割ハウジングの内部に挿し込み前記外側導体に接触させた請求項５に記載の多極型コネクタ。
【請求項７】
前記各分割ハウジングは、その前面より突出した前記各導通体接続部の外側に同心状に突設され、且つ、絶縁樹脂製の相手側ハウジングの前面部に開口した連結凹部に嵌り込む筒状の連結凸部を一体に備え、前記連結凹部内に前記連結凸部を嵌め込むことにより、前記導通体が相手側導通体と接続されるようにした請求項１〜５又は６に記載の多極型コネクタ。
【請求項８】
前記分割ハウジングは、前記連結凸部の外周に突設された前後方向に連続した凸条状のガイドキー及び／又は前記連結凸部の外周に突設され、前記連結凹部の内周部に形成された係合体と互いに係合する係合爪を備えた請求項７に記載の多極型コネクタ。
【請求項９】
前記各分割ハウジングで色が異なる請求項１〜７又は８に記載の多極型コネクタ。
【発明の詳細な説明】
【技術分野】
【０００１】
本発明は、車載用同軸コネクタ等のコネクタであって、前面部に相手側の導通体に接続される導通体接続部を複数配置してなる多極型コネクタに関する。
【背景技術】
【０００２】
情報通信用アンテナと車載機器との接続には、高周波性能に優れた同軸コネクタが使用され、車載機器に搭載された基板に実装された同軸コネクタを介してアンテナと車載機器とを電気的に接続するようになっている。
【０００３】
一方、近年では、デジタル通信の普及等に伴い、当該アンテナと車載機器との接続作業の効率化、インターフェースの多極化が求められており、従来、このような接続作業の効率化及びインターフェースの多極化には、複数の単極同軸コネクタ（例えば、特許文献１を参照）を基板上に横並びで実装することにより対応していた。
【０００４】
また、多極化に対応したコネクタとしては、絶縁合成樹脂製のハウジング本体の前面部に複数の導通体の導通体接続部を水平方向に間隔を置いた平行配置に備えた一体型の多極型コネクタも知られている（例えば、特許文献２を参照）。
【０００５】
また、このような互いに接続されるコネクタの一方のハウジングには、他方のハウジングに形成された連結凹部に嵌め込まれる連結凸部と、連結凸部の外周部に突設された係合爪とを備え、連結凸部を連結凹部内に嵌め込み、係合爪が連結凹部の内周部に配置された係合部と係合することにより、両コネクタ間が着脱可能にロックされるようにしたものも開発されている。
【先行技術文献】
【特許文献】
【０００６】
【特許文献１】特開２００８−５９７６１号公報
【特許文献２】特開２００５−１０８５１０号公報
【発明の概要】
【発明が解決しようとする課題】
【０００７】
しかしながら、上述の如き従来の単極同軸コネクタを使用する場合では、コネクタ毎に基板への取付け及び配線が必要となり、配線が複雑化するとともに接続作業に手間と時間がかかるという問題があり、また、横並びに配置するため、基板上で一定のスペースを占有し、電子機器の小型化を妨げる要因となっていた。
【０００８】
また、基板設計上の観点から、実装基板に対し鉛直方向に複数の導通体を配置する多段配置の要請があり、その要請に対し、従来の単極同軸コネクタを使用する場合では対応できないという問題があった。
【０００９】
一方、インターフェースの多極化では、ハウジング毎に色分けし、それにより視覚的に作業効率の向上を図る場合があり、上述の如きハウジングを一体に成形する一体型の多極型コネクタでは、このようなハウジング毎の色分けに対応できないという問題があった。
【００１０】
また、ハウジングの前面部に一体に突設され、相手側ハウジングの連結凹部に嵌め込まれる連結凸部の態様は、相手側コネクタのハウジング形状等によって仕様が異なるため、上述の如きハウジングを一体に成形する一体型の多極型コネクタでは、相手側コネクタのハウジング形状等に合わせて、複数の連結凸部の内の一つの係合爪の位置やその他の形状をそれまでの連結凸部と異なる仕様に変更するような場合に対応できず、多種小ロット生産に向かないという問題があった。
【００１１】
そこで、本発明は、このような従来の問題に鑑み、インターフェースの多極化に対応しつつ、インターフェース部分の省スペース化を図ることができ、実装基板に対し鉛直方向に複数の導通体接続部を配置する多段配置にも対応可能な多極型コネクタの提供を目的としてなされたものである。
【課題を解決するための手段】
【００１２】
上述の如き従来の問題を解決するための請求項1に記載の発明の特徴は、それぞれが相手側の導通体と接続される複数の導通体と、導通体接続部を前面側に配置して前記各導通体を保持させた絶縁樹脂製のハウジングとを備えた多極型コネクタであって、前記ハウジングを複数に分割した形状の各分割ハウジングに一又は複数の前記導通体を保持させてなる複数の分割コネクタを備え、互いに隣り合う分割ハウジングの一方又は双方の接合端面部に連結キーが嵌め込まれるキー嵌合部が形成され、該キー嵌合部に前記連結キーを嵌め込み、該連結キーを前記接合端面部間に跨って介在させることによって、前記両分割ハウジングが接合され、互いに隣り合う前記各分割コネクタが連結されるようした多極型コネクタにある。
【００１３】
請求項２に記載の発明の特徴は、請求項１の構成に加え、前記連結キーは、互いに接合される一方の分割コネクタの接合端面に突設され、他方の分割コネクタの接合端面部に形成されたキー嵌合部に嵌め込まれるようにしたことにある。
【００１４】
請求項３に記載の発明の特徴は、請求項１又は２の構成に加え、前記連結キーは、前記接合端面より突出した前後方向に延びる凸条状のキー本体と、該キー本体の端部に配置された外向きに張り出したキー係合部とを備え、前記キー嵌合部は、接合面側開口縁部に内向きに張り出した係合凸部を有する凹溝状に形成され、前記キー係合部と係合凸部とが互いに係合することにより前記両分割ハウジング間が接合されるようにしたことにある。
【００１５】
請求項４に記載の発明の特徴は、請求項１、２又は３の構成に加え、前記各導通体は、前後方向に向けた導電性金属製の細長ピン状の中心導体と、該中心導体の外周を覆う絶縁樹脂製のインシュレータと、該インシュレータの外周を覆う導電性金属製の外側導体とを備えたことにある。
【００１６】
請求項５に記載の発明の特徴は、請求項１〜３又は４の構成に加え、上下方向に前記各分割コネクタが連結される多段構造を備えるとともに、前記各導通体は、前後方向に向けた棒状の導通体本体部と、該導通体本体部の後端部より下向きに延出し、各分割ハウジングの下端より突出する基板接続端子部とを備え、前記分割コネクタ毎に前記導通体本体部の長さを違えるとともに、前記上段の分割コネクタの基板接続端子部を下段側の分割ハウジングに形成された端子挿通部を通してその先端部を最下段の分割ハウジング下面より突出させ、前記最下段の分割ハウジング下面より前記各基板接続端子部が前後方向に間隔を置いて突出するようにしたことにある。
【００１７】
請求項６に記載の発明の特徴は、請求項５の構成に加え、最上段の分割コネクタの導通体に前後方向に向けた導電性金属製の細長ピン状の中心導体と、該中心導体の外周を覆う絶縁樹脂製のインシュレータと、該インシュレータの外周を覆う導電性金属製の外側導体とを備え、且つ、前記ハウジングの外側を覆うシールドカバーを備え、該シールドカバーに内向き立ち上げた形状のシールド接続片を備え、該シールド接続片を最上段の分割ハウジングの内部に挿し込み前記外側導体に接触させたことにある。
【００１８】
請求項７に記載の発明の特徴は、請求項１〜５又は６の構成に加え、前記各分割ハウジングは、その前面より突出した前記各導通体接続部の外側に同心状に突設され、且つ、絶縁樹脂製の相手側ハウジングの前面部に開口した連結凹部に嵌り込む筒状の連結凸部を一体に備え、前記連結凹部内に前記連結凸部を嵌め込むことにより、前記導通体が相手側導通体と接続されるようにしたことにある。
【００１９】
請求項８に記載の発明の特徴は、請求項７の構成に加え、前記分割ハウジングは、前記連結凸部の外周に突設された前後方向に連続した凸条状のガイドキー及び／又は前記連結凸部の外周に突設され、前記連結凹部の内周部に形成された係合体と互いに係合する係合爪を備えたことにある。
【００２０】
請求項９に記載の発明の特徴は、請求項１〜７又は８の構成に加え、前記各分割ハウジングで色が異なることにある。
【発明の効果】
【００２１】
本発明に係る多極型コネクタは、上述したように、それぞれが相手側の導通体と接続される複数の導通体と、導通体接続部を前面側に配置して前記各導通体を保持させた絶縁樹脂製のハウジングとを備えた多極型コネクタであって、前記ハウジングを複数に分割した形状の各分割ハウジングに一又は複数の前記導通体を保持させてなる複数の分割コネクタを備え、互いに隣り合う分割ハウジングの一方又は双方の接合端面部に連結キーが嵌め込まれるキー嵌合部が形成され、該キー嵌合部に前記連結キーを嵌め込み、該連結キーを前記接合端面部間に跨って介在させることによって、前記両分割ハウジングが接合され、互いに隣り合う前記各分割コネクタが連結されるようしたことにより、多極化に対応しつつ分割コネクタの組み合わせにより色分けや仕様変更等に好適に対応でき、且つ、各分割コネクタ間に連結キーを介在させたことによって、こじり動作等に対する高い強度を確保することができる。
【００２２】
また、本発明において、前記連結キーは、互いに接合される一方の分割コネクタの接合端面に突設され、他方の分割コネクタの接合端面部に形成されたキー嵌合部に嵌め込まれるようにしたことにより、分割コネクタ同士の組立てを容易且つ効率的に行うことができる。
【００２３】
更に本発明において、前記連結キーは、前記接合端面より突出した前後方向に延びる凸条状のキー本体と、該キー本体の端部に配置された外向きに張り出したキー係合部とを備え、前記キー嵌合部は、接合面側開口縁部に内向きに張り出した係合凸部を有する凹溝状に形成され、前記キー係合部と係合凸部とが互いに係合することにより前記両分割ハウジング間が接合されるようにしたことにより、分割ハウジング間を高い精度で接合できるとともに、高い耐こじり強度を得ることができる。
【００２４】
また、本発明において、前記各導通体は、前後方向に向けた導電性金属製の細長ピン状の中心導体と、該中心導体の外周を覆う絶縁樹脂製のインシュレータと、該インシュレータの外周を覆う導電性金属製の外側導体とを備えたことにより、多極同軸コネクタとすることができる。
【００２５】
更に、本発明において、上下方向に前記各分割コネクタが連結される多段構造を備えることにより、実装基板における占有スペースの縮小を図ることができる。
【００２６】
それに加え、本発明においては、前記各導通体は、前後方向に向けた棒状の導通体本体部と、該導通体本体部の後端部より下向きに延出し、各分割ハウジングの下端より突出する基板接続端子部とを備え、前記分割コネクタ毎に前記導通体本体部の長さを違えるとともに、前記上段の分割コネクタの基板接続端子部を下段側の分割ハウジングに形成された端子挿通部を通してその先端部を最下段の分割ハウジング下面より突出させ、前記最下段の分割ハウジング下面より前記各基板接続端子部が前後方向に間隔を置いて突出するようにしたことにより、実装基板における占有スペースの縮小及びコネクタ全体の小型化を図ることができる。
【００２７】
更にまた、本発明において、最上段の分割コネクタの導通体に前後方向に向けた導電性金属製の細長ピン状の中心導体と、該中心導体の外周を覆う絶縁樹脂製のインシュレータと、該インシュレータの外周を覆う導電性金属製の外側導体とを備え、且つ、前記ハウジングの外側を覆うシールドカバーを備え、該シールドカバーに内向き立ち上げた形状のシールド接続片を備え、該シールド接続片を最上段の分割ハウジングの内部に挿し込み前記外側導体に接触させたことにより、最上段に配置された分割コネクタの同軸型導通体の高周波特性の向上を図ることができる。
【００２８】
また、本発明において、前記各分割ハウジングは、その前面より突出した前記各導通体接続部の外側に同心状に突設され、且つ、絶縁樹脂製の相手側ハウジングの前面部に開口した連結凹部に嵌り込む筒状の連結凸部を一体に備え、前記連結凹部内に前記連結凸部を嵌め込むことにより、前記導通体が相手側導通体と接続されるようにしたことにより、導通体を好適に保護し、振動や厳しい環境変化に対応できる。
【００２９】
更にまた、本発明において、前記分割ハウジングは、前記連結凸部の外周に突設された前後方向に連続した凸条状のガイドキーを備えることにより、誤接続を防止することができ、前記連結凸部の外周に突設され、前記連結凹部の内周部に形成された係合体と互いに係合する係合爪を備えたことにより、コネクタ間を強固にロックすることができる。更には、分割コネクタ毎にガイドキー及び／又は係合爪の形状、位置等の仕様を変更でき、分割コネクタの組み合わせにより多種小ロット生産にも対応することができる。
【００３０】
また、本発明において、前記各分割ハウジングで色が異なることにより、コネクタ間又は多極コネクタ対ケーブルの接続作業の効率化、及び誤接続の防止を図ることができる。
【図面の簡単な説明】
【００３１】
【図１】本発明に係る多極型同軸コネクタの一例を示す斜視図である。
【図２】同上の背面側より見た斜視図である。
【図３】同上の縦断面図である。
【図４】図３中のＡ−Ａ線断面図である。
【図５】同上の分解斜視図である。
【図６】図１中の下分割コネクタを示す正面図である。
【図７】同上の側面図である。
【図８】同上の平面図である。
【図９】同上の背面図である。
【図１０】同上の縦断面図である。
【図１１】図１中の上分割コネクタを示す正面図である。
【図１２】同上の側面図である。
【図１３】同上の平面図である。
【図１４】同上の背面図である。
【図１５】同上の縦断面図である。
【発明を実施するための形態】
【００３２】
次に、本発明に係る多極型コネクタの実施の態様を図１〜図１５に示した実施例に基づいて説明する。
【００３３】
本実施例は、上下２段配置の２極型同軸コネクタを例に説明し、図中符合１は、多極型コネクタである。
【００３４】
尚、本実施例中においては、多極型コネクタ１が実装される基板（以下、実装基板という）表面に対し鉛直方向を上下方向といい、基板側を下として説明し、実装基板表面と平行且つ当該コネクタ１・相手側コネクタ間の接続方向を前後方向といい、相手側を前として説明する。
【００３５】
この多極型コネクタ１は、図１〜図５に示すように、同軸ケーブル端部や同軸コネクタの同軸導通体等の相手側導通体とそれぞれ互いに接続する複数の導通体２，３と、導通体接続部を前面側に配置して導通体２，３を保持させた絶縁樹脂製のハウジング４とを備えた多極型同軸コネクタであって、ハウジング４を分割した形状の各分割ハウジング５，６にそれぞれ導通体２，３を保持させてなる分割コネクタ７，８を上下２段配置に連結することにより、一つの２極型同軸コネクタ１が形成されるようになっている。
【００３６】
また、この多極型コネクタ１は、導電性金属板材からなるシールドカバー９を備え、このシールドカバー９がハウジング４の外側面部を覆うように組み込まれている。
【００３７】
下分割コネクタ７は、図６〜図１０に示すように、絶縁樹脂製の下分割ハウジング５と、下分割ハウジング５に保持させた下導通体２とを備え、単極同軸コネクタを成している。
【００３８】
下分割ハウジング５は、絶縁性合成樹脂により一体成形され、直方体状の下ハウジング本体部１０と、下ハウジング本体部１０の前面部に突設された筒状の連結凸部１１とを備えている。
【００３９】
下ハウジング本体部１０は、前後方向に貫通した導通体挿入孔１２と、導通体挿入孔１２後方部と連通し、且つ下面側に開放された溝状の端子挿し込み部１３とを備え、導通体挿入孔１２に下ハウジング本体部１０の後方より嵌め込むことにより下導通体２が下ハウジング本体部１０に組み込まれている。
【００４０】
また、下ハウジング本体部１０には、導通体挿入孔１２の後方に、下ハウジング本体部１０の後端側及び上下端に開放された上下方向に向けた凹溝状の端子収容部１４が形成されている。
【００４１】
更に、下ハウジング本体部１０の上面部、即ち、上分割ハウジング６との接合端面部には、後述する連結キー１５が嵌め込まれるキー嵌合部１６が形成されている。
【００４２】
キー嵌合部１６は、上面（接合端面）側及び後方が開放された前後方向に向けた凹溝状に形成され、その互いに対向する左右両内側面の接合端面側開口縁部に内向きに張り出した一対の凸条状の係合凸部１７，１７が一体に突設され、断面視逆Ｔ字孔状を成している。
【００４３】
連結凸部１１は、下ハウジング本体部１０の前面部に一体に突設された円筒状に形成され、導通体挿入孔１２を通して下ハウジング本体部１０の前面より突出した下導通体２先端の導通体接続部の外側に同心状に配置され、この連結凸部１１を相手側ハウジング（図示せず）の前面部に開口した連結凹部に嵌め込むことにより、導通体２が連結凹部内に配置された相手側導通体と接続されるようになっている。
【００４４】
また、連結凸部１１には、外周に一体に突設された前後方向に連続した凸条状のガイドキー１８，１８を備えるとともに、外周に突設され、連結凹部の内周部に形成された係合体と互いに係合する係合爪１９とを備え、本多極型コネクタ１・相手側コネクタ間の誤接続を防止するとともに、本多極型コネクタ１・相手側コネクタ間を強固にロックすることができるようになっている。
【００４５】
下導通体２は、前後方向に向けた導電性金属製の細長ピン状の中心導体２０と、中心導体２０の外周を覆う絶縁樹脂製のインシュレータ２１と、インシュレータ２１の外周を覆う導電性金属製の外側導体２２とを備え、中心導体２０、インシュレータ２１及び外側導体２２により前後方向に向けた導通体本体部２３を成している。
【００４６】
この導通体本体部２３は、インシュレータ２１の前端部に前面に開口した凹穴状の凹部２４が形成され、この凹部２４内の中心に中心導体２０の先端部が突出し、相手側の同軸ケーブルや同軸コネクタ等の導通部と互いに嵌合して電気的に接続されるようになっている。
【００４７】
また、下導通体２は、導通体本体部２３の後端部より下向きに延出し、下分割ハウジング５の下端より先端部を突出した基板接続端子部２５を備えている。
【００４８】
基板接続端子部２５は、中心導体２０の後端より鉛直下向きに一体に延出した導電性金属製の中心端子２６と、インシュレータ２１の後端より鉛直下向きに延出した形状であって、中心端子２６の外側を覆う絶縁樹脂製の端子用インシュレータ２７と、外側導体２２の後端より鉛直下向きに延出した角筒状であって、端子用インシュレータ２７の外側を覆う外側端子２８とを備え、端子用インシュレータ２７の下端より突出した中心端子２６下端部及び外側端子２８の下縁より一体に突設された外側端子突出片２８ａ，２８ａがそれぞれ実装基板に形成されたスルーホールに挿し込まれ、半田付けされるようになっている。
【００４９】
上分割コネクタ８は、絶縁樹脂製の上分割ハウジング６と、上分割ハウジング６に保持させた上導通体３とを備え、単極同軸コネクタを成している。
【００５０】
上分割ハウジング６は、下分割ハウジング５と色が異なる絶縁性合成樹脂により一体成形され、直方体状の上ハウジング本体部３０と、上ハウジング本体部３０の前面部に突設された筒状の連結凸部１１とを備えている。
【００５１】
上ハウジング本体部３０は、前後方向長さ及び横幅が下ハウジング本体部１０と等しい直方体状に形成され、上下両ハウジング本体部１０，３０を上下２段で接合させた際にその前後端面及び左右端面が互いに連続するようになっている。
【００５２】
この上ハウジング本体部３０は、前後方向に貫通した導通体挿入孔３１と、導通体挿入孔３１後方部と連通し、且つ下面側に開放された溝状の端子挿し込み部３２とを備え、導通体挿入孔３１に上ハウジング本体部３０の後方より嵌め込むことにより上導通体３が上ハウジング本体部３０に組み込まれている。
【００５３】
また、上ハウジング本体部３０の上面前端部には、導通体挿入孔３１と連通したスリット孔状の挿し込み孔３３が形成されている。
【００５４】
更に、上ハウジング本体部３０の下面部、即ち、下分割ハウジング５との接合端面には、下分割ハウジング５のキー嵌合部１６に嵌め込まれる連結キー１５が一体に突設されている。
【００５５】
連結キー１５は、接合端面（下面）より突出した前後方向に延びる凸条状のキー本体３４と、キー本体３４の下端側面に一体に突設された一対のキー係合部３５，３５とを備え、キー本体３４と両キー係合部３５，３５とがキー嵌合部１６と整合した正面視逆Ｔ字状を成している。
【００５６】
従って、上下両分割ハウジング５，６を前後方向でスライド移動させ、連結キー１５をキー嵌合部１６に嵌め込むことにより、連結キー１５の外側面がキー嵌合部１６の内側面と互いに当接し、上下両分割ハウジング５，６が互いに前後左右の相対移動が規制された状態で接合されるようになっている。
【００５７】
即ち、キー本体３４が両係合凸部１７，１７に挟持されるとともに、キー係合部３５，３５と係合凸部１７，１７とが係合し、キー係合部３５，３５と上ハウジング本体部３０の下面との間に係合凸部１７，１７が挟持され、上下両分割ハウジング５，６を強固に接合するようになっている。
【００５８】
尚、キー本体３４及び両キー係合部３５，３５の前端縁部には、それぞれ前方に向けて内側に傾斜したテーパ部３４ａ、３５ａが形成され、キー嵌合部１６に対し連結キー１５を容易に圧入できるようになっている。
【００５９】
また、キー本体３４及び両キー係合部３５，３５を後方に行くに従って厚みが増す楔状に形成し、キー嵌合部１６をそれに整合した楔孔状に形成してもよい。
【００６０】
連結凸部１１は、下分割ハウジング５と同様に、上ハウジング本体部３０の前面部に一体に突設された円筒状に形成され、導通体挿入孔３１を通して上ハウジング本体部３０の前面より突出した上導通体３先端の導通体接続部の外側に同心状に配置され、この連結凸部１１を相手側ハウジング（図示せず）の前面部に開口した連結凹部に嵌め込むことにより、上導通体３が連結凹部内に配置された相手側導通体と接続されるようになっている。
【００６１】
また、連結凸部１１には、外周に一体に突設された前後方向に連続した凸条状のガイドキー１８，１８と、外周に突設され、連結凹部の内周部に形成された係合体と互いに係合する係合爪１９とを備えている。尚、このガイドキー１８，１８及び係合爪１９は、下分割ハウジング５のそれと上下で対称を成す位置に配置されている。
【００６２】
上導通体３は、前後方向に向けた導電性金属製の細長ピン状の中心導体４０と、中心導体４０の外周を覆う絶縁樹脂製のインシュレータ４１と、インシュレータ４１の外周を覆う導電性金属製の外側導体４２とを備え、中心導体４０、インシュレータ４１及び外側導体４２により前後方向に向けた導通体本体部４３を成している。
【００６３】
この導通体本体部４３は、インシュレータ４１の前端部に前面に開口した凹穴状の凹部４４が形成され、この凹部４４内の中心に中心導体４０の先端部が突出し、相手側の同軸ケーブルや同軸コネクタ等の導通部と互いに嵌合して電気的に接続されるようになっている。
【００６４】
上導通体３の導通体本体部４３は、下導通体２の導通体本体部２３よりも長く形成され、各導通体２，３をそれぞれ各分割ハウジング５，６に組み込んだ際に、上導通体３の導通体本体部４３の後端部が下導通体２の導通体本体部２３の後端部より後方に位置するようになっている。
【００６５】
また、上導通体３は、導通体本体部４３の後端部より下向きに延出し、上分割ハウジング６の下端より突出した基板接続端子部４５を備えている。
【００６６】
基板接続端子部４５は、中心導体４０の後端より鉛直下向きに一体に延出した導電性金属製の中心端子４６と、インシュレータ４１の後端より鉛直下向きに延出した形状であって、中心端子４６の外側を覆う絶縁樹脂製の端子用インシュレータ４７と、外側導体４２の後端より鉛直下向きに延出した角筒状であって、端子用インシュレータ４７の外側を覆う外側端子４８とを備え、端子用インシュレータ４７の上端より突出した中心端子４６下端部及び外側端子４８の下縁より一体に突設された外側端子突出片４８ａ，４８ａがそれぞれ実装基板に形成されたスルーホールに挿し込まれ、半田付けされるようになっている。
【００６７】
上導通体３の基板接続端子部４５は、下導通体２の基板接続端子部２５に対し、下ハウジング本体部１０の上下厚み分だけ長く形成され、その延長部分が上下両分割コネクタ７，８を接合させた際、下分割ハウジング５後方部の端子収容部１４内に収容され、且つ、端子収容部１４を通してその下端部が最下段の分割ハウジング５下面より突出し、それによって、下分割ハウジング５の下面より上下各導通体２，３の基板接続端子部２５，４５が前後方向に間隔を置いた平行配置に突出するようになっている。
【００６８】
シールドカバー９は、導電性金属板材を折り曲げ加工することにより正面視横向きコ字状に形成され、ハウジング４の上面を覆う平板状の天板５０と、天板５０の両側縁より鉛直下向きに折り曲げた形状の側板５１，５１とを備えている。
【００６９】
両側板５１，５１は、上下両ハウジング本体部１０，３０の側面部に跨ってハウジング４を覆うように形成され、下端縁より下向きに一体に突出した基板接続片５２，５２を備えている。そして、この基板接続片５２，５２を実装基板に形成されたスルーホールに挿し込み半田付けすることにより、ハウジング４を実装基板に固定するとともに、グランド接続されるようになっている。
【００７０】
また、両側板５１，５１には、上下各分割ハウジング５，６の側面に突設された係止凸部５３と係合する係合孔５４が形成されている。
【００７１】
更に、このシールドカバー９には、天板５０の前端縁より内向き立ち上げた形状のシールド接続片５５を備え、このシールド接続片５５を上分割ハウジング６の上面より挿し込み孔３３を通して内部に挿し込み、外側導体４２の外周に接触させている。
【００７２】
シールド接続片５５は、下端に凹状の接続凹部５６を有する二股フォーク状に形成され、この接続凹部５６の内側に外側導体４２の外周が嵌り込むことにより上導通体３とシールドカバー９とが接続され、上導通体３の外側導体４２がシールドカバー９を介してグランド接続されるようになっている。
【００７３】
このように構成された多極型コネクタ１の組立ては、互いに接合端面を突き合わせた状態で下分割ハウジング５に対し後方より上分割ハウジング６をスライド移動させることにより行う。
【００７４】
そして、当該スライド移動により、下分割ハウジング５のキー嵌合部１６に上分割ハウジング６の連結キー１５が後方より嵌り込み、上下分割ハウジング５の接合端面間に跨って連結キー１５が介在されることで上下両分割ハウジング５，６が接合され、上下両分割コネクタ７，８が連結される。
【００７５】
そして、上方より、シールドカバー９をハウジング４に被せ、それに伴ってシールド接続片５５を上ハウジング本体部３０に挿し込み上導通体３の外側導体４２にシールド接続片５５を接続させることにより組み立てが完了する。
【００７６】
このように構成された多極型コネクタ１は、上下両分割ハウジング５，６の接合端面間に跨って連結キー１５を介在させたことにより、上下両分割コネクタ７，８を精度よく、互いにガタつきが防止された状態で連結でき、それによって多極化に対応しつつ、色分けや仕様変更等に好適に対応できるようになっている。
【００７７】
また、各分割コネクタ間に連結キー１５を介在させたことにより、こじり動作等の上下各分割コネクタ７，８に作用する互いに相反する方向の力に対し、上下各分割コネクタ７，８が連結キー１５を介して互いに反力を取って対抗することができるので、こじり動作等に対する高い強度を確保することができる。
【００７８】
更には、上述の如く連結キー１５を介在させたことで高い耐こじり強度を備えているので、上下多段配置が可能となり、それに伴い実装基板に占めるスペースの縮小を図ることができる。
【００７９】
更にまた、シールド接続片５５を上分割ハウジング６の上面より内部に挿し込み上導通体３の外側導体４２に接触させたことによって、上分割コネクタ８の高周波特性の向上を図ることができる。
【００８０】
即ち、上導通体３は、下導通体２よりも全長、即ち、導通体本体部４３及び基板接続端子部４５がそれぞれ長い為、高周波信号の伝達において不要な電界の漏れが生じる虞がある。そこで、シールド接続片５５を介して上導通体３の導通体接続部近傍にシールドカバー９、即ち、グランドを接続することにより、高周波特性の向上が図られている。
【００８１】
尚、上述の実施例では、単極同軸コネクタを上下２段に配置した２極型同軸コネクタを例に説明したが、本発明の態様はこれに限定されず、単極同軸コネクタからなる各分割コネクタを３段以上の多段配置としてもよく、各分割ハウジングに複数の導通体を水平方向に間隔を置いた平行配置に保持させてなる多極型の各分割コネクタを上下に連結させる多極多段配置であってもよい。
【００８２】
また、各分割コネクタを横方向、即ち、実装基板と平行配置に連結する構造であってもよい。
【００８３】
更にまた、上述の実施例では、連結キー１５を上分割ハウジング６の下端面に一体に突設させた例について説明したが、隣り合う両分割ハウジング５，６の各接合端面双方にキー嵌合部１６を形成し、両分割ハウジング５，６とは別体の連結キーを各キー嵌合部１６に嵌め込むことにより両接合端面間に跨って連結キー１５を介在させるようにしたものであってもよい。
【００８４】
また、上述の実施例では、キー本体３４及び両キー係合部３５，３５をもって逆Ｔ字状に形成された例について、説明したが、連結キー１５の態様はこれに限定されず、例えば、凸条状のキー本体３４端部に断面円形状のキー係合部を一体に備えたものであってもよく、正面視Ｌ字状に形成された一対の連結キー１５を互いに左右対称配置に備えたもの等であってもよい。
【００８５】
また、上述の実施例では、多極型同軸コネクタを例に説明したが、ＲＣＡ端子接続用やミニピンジャック型等の他方式の多極型コネクタにも適用することができる。
【符号の説明】
【００８６】
１  多極型コネクタ
２  下導通体
３  上導通体
４  ハウジング
５  下分割ハウジング
６  上分割ハウジング
７  下分割コネクタ
８  上分割コネクタ
９  シールドカバー
１０  下ハウジング本体部
１１  連結凸部
１２  導通体挿入孔
１３  端子挿し込み部
１４  端子収容部
１５  連結キー
１６  キー勘合部
１７  係合凸部
１８  ガイドキー
１９  係合爪
２０  中心導体
２１  インシュレータ
２２  外側導体
２３  導通体本体部
２４  凹部
２５  基板接続端子部
２６  中心端子
２７  端子用インシュレータ
２８  外側端子
３０  上ハウジング本体部
３１  導通体挿入孔
３２  端子挿し込み部
３３  挿し込み孔
３４  キー本体
３５  キー係合部
４０  中心導体
４１  インシュレータ
４２  外側導体
４３  導通体本体部
４４  凹部
４５  基板接続端子部
４６  中心端子
４７  端子用インシュレータ
４８  外側端子
５０  天板
５１  側板
５２  基板接続片
５３  係止凸部
５４  係合孔
５５  シールド接続片
５６  接続凹部
【図１】
2014241251.tif 000003
【図２】
2014241251.tif 000004
【図３】
2014241251.tif 000005
【図４】
2014241251.tif 000006
【図５】
2014241251.tif 000007
【図６】
2014241251.tif 000008
【図７】
2014241251.tif 000009
【図８】
2014241251.tif 000010
【図９】
2014241251.tif 000011
【図１０】
2014241251.tif 000012
【図１１】
2014241251.tif 000013
【図１２】
2014241251.tif 000014
【図１３】
2014241251.tif 000015
【図１４】
2014241251.tif 000016
【図１５】
2014241251.tif 000017